(57)【特許請求の範囲】
【請求項１】
直立した一対の側板間に渡ってそれぞれガイドレールを有する複数の棚板を水平に架設してなるシェルフと、該シェルフの背面側近傍に設けられた複数のコネクタが実装されたバックボードと、アンテナに接続される立体回路部及びバンドパスフィルタを有する分波器部と、その内部に高周波回路を含む回路が収容されるとともに、前記バックボードのコネクタに嵌合されるコネクタを有し、前記シェルフの前面側から前記ガイドレールに沿って挿入される複数の盤ユニットと、を備えた無線装置において、
水平板及び垂直板を一体的に形成してなるＬ型支持板の該水平板上に前記バンドパスフィルタを取り付けるとともに、該垂直板の該水平板側の前面に前記立体回路部を取り付けて分波器部ユニットとし、
前記分波器部ユニットを、前記バンドパスフィルタが前記シェルフの棚板の一つの直下に位置するとともに、前記立体回路部が前記バックボードの裏面側に位置するように、前記シェルフに背面側から着脱自在に取り付けるようにしたことを特徴とする無線装置のシェルフ構造。
【請求項２】
前記盤ユニットは、前記分波器部ユニットの前記バンドパスフィルタが取り付けられた水平板を挟んで、上下に実装されることを特徴とする請求項１に記載の無線装置のシェルフ構造。
【請求項３】
前記シェルフを構成する棚板に、矩形状の貫通穴を形成するとともに、該貫通穴の縁部近傍を前記盤ユニットが実装される側と反対側に略直角に折り曲げたことを特徴とする請求項１に記載の無線装置のシェルフ構造。
【請求項４】
前記分波器部ユニットの前記立体回路部の前面側に位置するように、前記垂直板と略平行で且つ矩形状の貫通穴を有するバックボード取付板を、前記棚板に略直交するように一体的に設け、
前記バックボードを前記バックボード取付板に、前記貫通穴を閉塞するように取り付けたことを特徴とする請求項１に記載の無線装置のシェルフ構造。
【発明の詳細な説明】
【０００１】
【産業上の利用分野】
本発明は、無線装置のシェルフ構造に関する。
マイクロ波等の高周波帯の無線装置においては、送信盤、受信盤、制御盤、変復調盤、電源盤等をその背面側にコネクタを有するバックボードが配置されたシェルフにプラグイン接続することにより実装し、さらにこれら複数のシェルフを縦に並べて架に収容するようにした構造が採用されている。そして、このような構造を採用した無線装置においては、装置の全体的な大きさは、ＥＴＳＩ（Ｅｕｒｏｐｅａｎ  Ｔｅｌｅｃｏｍｍｕｎｉｃａｔｉｏｎｓ  ＳｔａｎｄａｒｄｓＩｎｓｔｉｔｕｔｅ）等の国際規格により決められており、決められた規格の範囲内でいかに高密度実装を達成するかが課題となっている。
【０００２】
【従来の技術】
図１２は従来技術のシェルフ構造を採用したマイクロ波無線装置の構成を示す分解斜視図、図１３は同じく正面図、図１４は同じく断面図である。
【０００３】
同図において、４１は架であり、架４１は天板及び底板を一対の側柱で連結・支持して構成されている。架４１には複数のシェルフ４２が縦に並べられた状態で収容・支持されている。シェルフ４２は、直立した一対の側板間に渡って一対の棚板を水平に架設して構成され、その奥側（背面側）には複数のコネクタ４３が実装されたバックボード４４が設けられている。
【０００４】
シェルフ４２の棚板には複数のガイドレール４５が配列的に設けられており、このガイドレール４５に沿って、送信盤４６、受信盤４７、制御盤４８、変復調盤４９、電源盤５０等が挿入され、これらの盤４６、４７、４８、４９、５０が有しているコネクタがバックボード４４のコネクタ４３に嵌合される。
【０００５】
それぞれ対応する盤４６、４７、４８、４９、５０が実装された複数のシェルフ４２は架４１に縦に並べて支持され、最上部にはアンテナに接続されるサーキュレータ５１ａを含む立体マイクロ波回路部５１及び直方体状に形成された複数のバンドパスフィルタ５２が取り付けられている。これらのバンドパスフィルタ５２と送信盤４６又は受信盤４７は同軸ケーブル５３で接続されている。
【０００６】
なお、この無線装置は障害時といえども連続運転を確保するため、現用系の他に予備系を備えており、同図において、中央で区切って左側が現用系システムであり、右側が予備系システムである。
【０００７】
ところで、図１５にその断面図を示すように、シェルフ４２の棚板５４には、実装される盤４６、４７、４８、４９、５０の冷却のための通風用として矩形状の貫通穴５４ａが形成されており、この貫通穴５４ａの近傍に、略Ｌ字状に形成された一対の補強金具５５を棚板５４の長手方向（横方向）に渡って溶接等により取り付けることにより、実装される盤４６、４７、４８、４９、５０の重量に十分に耐えるように補強している。
【０００８】
また、図１６に示されているように、シェルフ４２の一対の側板５６の背面側の側縁近傍はそれぞれ内側に折り曲げられており、これらの折曲部５６ａ間に渡って、バックボード４４が取り付けらているが、盤４６、４７、４８、４９、５０が実装されるときのコネクタ４３の嵌合に伴う押圧力により、バックボード４４が外側に撓んで、その嵌合が不十分となったり、バックボード４４の破損等の障害の発生を防止するため、バックボード４４の裏面には、その断面が略コの字に形成された一対の補強金具５７を横方向に渡ってネジ等により取り付けている。
【０００９】
図１７は上述した無線装置をその通信チャンネル数の増加等のため、現用系を２システム増設して、現用系として３システム、予備系として１システムとした場合の構成を示している。即ち、一つの架の大きさは上述した国際規格等により決まっているから、架自体を大きくしてこれに対応することはできないので、同様に構成した別架６１をさらに追加して必要な盤等が実装された複数のシェルフを支持するようにしている。
【００１０】
なお、図１７において、増設前の架４１に収容された各盤４６、４７、４８、４９、５０は全て現用系（２システム）であり、別架６１に収容された各盤４６、４７、４８、４９、５０のうち中央で区切って左側が現用系システム（１システム）であり、右側が予備系システム（１システム）であり、これにより現用系について３システム、予備系について１システムとなっている。
【００１１】
【発明が解決しようとする課題】
しかし、上述した従来技術によると、以下のような問題があった。
即ち、従来は機能増設時に別架を追加していたから、全体として装置が非常に大型になるという問題があった。また、立体回路部やバンドパスフィルタは架に直接的に取り付ける構成であるため、これらの立体回路等は周波数によりその大きさが異なるものを用いるから、その交換作業が煩雑であり、作業工数が多いという問題があった。
【００１２】
さらに、従来のシェルフの棚板又はバックボードの補強には別部品である補強部材を後付けするようにしているため、構成部品点数が多く、作業工数が多いという問題があった。また、バックボードのコネクタと棚板のガイドレールの位置関係は盤の正確な実装のために厳密である必要があるが、従来はバックボードはシェルフの側板に取付られているため、側板と棚板との位置的精度を厳密に設定する必要があり、やはり製造時の作業工数が多いという問題があった。
【００１３】
本発明はこのような点に鑑みてなされたものであり、その目的とするところは、装置の高密度実装化を図るとともに、部品点数の削減、作業工数の削減を図り、無線装置を小型且つ安価に構成できる無線装置のシェルフ構造を提供することである。
【００１４】
【課題を解決するための手段】
上述した課題を解決するため、以下のような構造を提供する。
即ち、直立した一対の側板間に渡ってそれぞれガイドレールを有する複数の棚板を水平に架設してなるシェルフと、該シェルフの背面側近傍に設けられた複数のコネクタが実装されたバックボードと、アンテナに接続される立体回路部及びバンドパスフィルタを有する分波器部と、その内部に高周波回路を含む回路が収容されるとともに、前記バックボードのコネクタに嵌合されるコネクタを有し、前記シェルフの前面側から前記ガイドレールに沿って挿入される複数の盤ユニットとを備えた無線装置において、水平板及び垂直板を一体的に形成してなるＬ型支持板の該水平板上に前記バンドパスフィルタを取り付けるとともに、該垂直板の該水平板側の前面に前記立体回路部を取り付けて分波器部ユニットとし、前記分波器部ユニットを、前記バンドパスフィルタが前記シェルフの棚板の一つの直下に位置するとともに、前記立体回路部が前記バックボードの裏面側に位置するように、前記シェルフに背面側から着脱自在に取り付けるように構成する。
【００１５】
前述の構成に加えて、前記シェルフを構成する棚板に、矩形状の貫通穴を形成するともに、該貫通穴の縁部近傍を前記盤ユニットが実装される側と反対側に略直角に折り曲げて構成することがきる。
【００１６】
さらに、前記分波器部ユニットの前記立体回路部の前面側に位置するように、前記垂直板と略平行で、且つ矩形状の貫通穴を有するバックボード取付板を設け、このバックボード取付板を、前記シェルフを構成する棚板と一体的に形成し、前記バックボードを前記バックボード取付板に、前記貫通穴を閉塞するように取り付けて構成することができる。
【００１７】
【作用】
本発明によると、水平板及び垂直板を一体的に形成してなるＬ型支持板の該水平板上にバンドパスフィルタを取り付けるとともに、該垂直板の該水平板側の前面に立体回路部を取り付けて分波器部ユニットとし、この分波器部ユニットをシェルフに背面側から取り付け、シェルフ内の立体回路部の前面側でバンドパスフィルタの上側の部分を盤ユニット実装用としたから、同一の体積内により多くの盤ユニットの収容が可能となり、高密度実装が達成され、機能増設時に別架を用いる必要がなく、装置の小型化を達成できる。
【００１８】
また、分波器部ユニットは独立的に形成されているとともに、シェルフに着脱自在としたから、使用周波数の変更等に伴う立体回路部やバンドパスフィルタの交換の際に一括的に交換できその作業工数が低減される。
【００１９】
さらに、シェルフを構成する棚板に、矩形状の貫通穴を形成するとともに、該貫通穴の縁部近傍を略直角に折り曲げて構成すれば、従来のような別部品としての補強部材を用いることなく、その補強が図られ、構成部品点数が少なくなり、作業工数が低減される。
【００２０】
また、分波器部ユニットの立体回路部の前面側に位置するように、垂直板と略平行で、且つ矩形状の貫通穴を有するバックボード取付板を設け、このバックボード取付板を、シェルフを構成する棚板と一体的に形成し、バックボードをこのバックボード取付板に、貫通穴を閉塞するように取り付けて構成すれば、従来のような別部品としての補強部材を用いることなく、その補強が図られ、構成部品点数が少なくなり、作業工数が低減されるとともに、バックボードのコネクタと棚板のガイドレールとの位置合わせが容易となり、これによっても製造時の作業工数を削減することができる。
【００２１】
【実施例】
以下、本発明の実施例を図面に基づいて説明することにする。
図１は本発明実施例のマイクロ波無線装置の要部構成を示す分解斜視図、図２は同じく全体構成を示す正面図、図３は同じく全体構成を示す断面図である。
【００２２】
図２及び図３において、１１は架であり、架１１は天板１１ａ及び底板１１ｂを一対の側柱１１ｃで連結・支持して構成されている。架１１には送受信部を構成する第１シェルフ１２、制御部を構成する第２シェルフ１３、変復調部を構成する第３シェルフ１４、及び電源部を構成する第４シェルフ１５が上からこの順に並べられた状態で支持されている。
【００２３】
第１シェルフ１２は、本発明のシェルフ構造が適用されてなるシェルフであり、図１に示されるように構成されている。同図において、第１シェルフ１２は、直立した一対の側板１６間に渡って４枚の棚板１７、１８、１９、２０を水平に架設して構成されている。
【００２４】
棚板１７、１８、１９、２０は、図４及び図５に示されているように、板金の外周部分を折り曲げるとともに、中央部分に矩形状の貫通穴２１が形成され、この貫通穴の短手方向の両側縁近傍は内側に折り曲げられて、補強部２２を構成している。これらの補強部２２は、棚板１７、１８、１９、２０の長手方向（側板１６間に渡る方向）において、棚板１７、１８、１９、２０に作用する荷重により棚板１７、１８、１９、２０が撓まないようにするためのものである。
【００２５】
また、図１に示されているように、これらの棚板１７、１８、１９、２０には貫通穴２１を跨ぐかたちで複数のガイドレール２３が取り付けられている。棚板１７及び１８は、棚板１９及び２０よりもその奥行きが小さく設定されている。
【００２６】
さらに、棚板１７及び２０は、図６及び図７に示されているように、ガイドレール２３が取り付けらた面に対して、略直交するようにバックボード取付部２４が一体成形されている。バックボード取付部２４には複数の矩形状の貫通穴２４ａが形成されており、この貫通穴２４ａを閉塞するように、複数のコネクタ２５が実装されたバックボード２６がネジ止め固定されている。
【００２７】
図１に示されているように、棚板１７はそのバックボード取付部２４を下に向けて、棚板２０はそのバックボード取付部２４を上に向けて設けられている。
また、この第１シェルフ１２には送信盤２７及び受信盤２８が実装される。送信盤２７又は受信盤２８は、プリント配線板上に形成された低周波回路部に、金属ケース内に収容された高周波回路部及び表面板等を取り付けて構成され、図７に最も良く示されているように、低周波回路部を構成するプリント配線板にはバックボード２６のコネクタ２５との接続用のコネクタ２９が実装されている。
【００２８】
送信盤２７又は受信盤２８は、それぞれの低周波回路部を構成するプリント配線板の上下の側縁部が棚板１７、１８、１９、２０のガイドレール２３に沿うようにして、第１シェルフ１２内に挿入され、バックボード２６のコネクタ２５に送信盤２７又は受信盤２８のコネクタ２９を嵌合させることにより、第１シェルフ１２に実装される。
【００２９】
図１において、３０は水平板３０ａ及び垂直板３０ｂを一体的に形成してなるＬ型支持板であり、Ｌ型支持板３０の水平板３０ａ上には複数のバンドパスフィルタ３１が取り付けられているとともに、Ｌ型支持板３０の垂直板３０ｂの前面（水平板３０ａ側の面）には、サーキュレータ３２ａを含むマイクロ波立体回路部３２が取り付けられており、これらにより独立した分波器部ユニット３３が構成されている。
【００３０】
分波器部ユニット３３は、バンドパスフィルタ３１が取り付けられた水平板３０ａが棚板１８と棚板１９の間に位置するとともに、マイクロ波立体回路部３２が取り付けられた垂直板３０ｂがバックボード２６の裏面側に位置するように、第１シェルフ１２の背面側から挿入され、ネジ等により取り付けられている。この分波器部ユニット３３は、ネジ等を取り外すことにより、第１シェフル１２に対して着脱自在となっている。これらのバンドパスフィルタ３１と送信盤２７又は受信盤２８は、図示は省略しているが、その前面側において同軸ケーブルにより接続されている。
【００３１】
バンドパスフィルタ３１を棚板１８と棚板１９の間に位置せしめたのは、バンドパスフィルタはメンテナンス等のために取り替えられることがあり、他の部材あるいは他の手段を取り外すことなく、その交換ができるようにするためである。
【００３２】
なお、本実施例の要部の構成の理解を容易にするため、図８に分波器部ユニット３３を実装し、棚板１７を取り外した状態の構成を、図９及び図１０に送信盤２７及び受信盤２８を実装していない状態の構成を、図１１に送信盤２７及び受信盤２８を実装した状態の構成を示した。
【００３３】
第１シェルフ１２には、図１１に示されているように、棚板１７及び棚板１８により構成される上段に送信盤２７が実装され、棚板１９及び棚板２０により構成される下段に受信盤２８が実装される。
【００３４】
図２及び図３において、第１シェルフ１２の下側に配置される第２〜第４シェルフ１３、１４、１５は、直立した一対の側板間に渡って上下で一対の棚板を水平に架設して構成されている。これらの第２〜第４シェルフ１３、１４、１５の上下の棚板は、上述した第１シェルフ１２の棚板１９、２０と同様に構成されており、上又は下側の棚板の一方はバックボード取付部を有し、このバックボード取付部にコネクタが実装されたバックボードが取り付けられている。
【００３５】
第２シェルフ１３内にはプリント配線板に電子部品等を実装してなる複数の制御盤３４が挿入され、第３シェルフ１４内には同じくプリント配線板に電子部品等を実装してなる複数の変復調盤３５が実装され、第４シェルフ１５内には同じくプリント配線板に電子部品等を実装してなる複数の電源盤３６が実装される。
【００３６】
この無線装置は、図１７に示した無線装置と実質的に同様の機能を有する、即ち、現用系として３システム、予備系として１システムを持ったシステムであり、架１１の大きさ等は、ＥＴＳＩ等の国際規格に従っている。なお、図２において、最も右側の送信盤２７、最も右側の受信盤２８、最も右側から４枚目までの変復調盤３５、最も右側の電源盤３６は予備系であり、その余が現用系であり、制御盤３４は現用系と予備系で共用である。
【００３７】
本実施例によると、水平板３０ａ及び垂直板３０ｂを一体的に形成してなるＬ型支持板３０の水平板３０ａ上にバンドパスフィルタ３１を取り付けるとともに、垂直板３０ｂの前面に立体回路部３２を取り付けて分波器部ユニット３３とし、この分波器部ユニット３３を第１シェルフ１２に背面側から取り付け、第１シェルフ１２内の立体回路部３２の前面側であってバンドパスフィルタ３１の上側の部分を送信盤２７の実装用とした。
【００３８】
従って、同一の体積内により多くの盤の収容が可能となり、高密度実装が達成され、機能増設時に図１７に示したような従来技術のように別架を用いる必要がなく、装置の小型化を達成できる。
【００３９】
また、バンドパスフィルタ３１が搭載された水平板３０ａの上側に送信盤２７を、下側に受信盤２８を実装するようにしており、消費電力が大きく発熱量も多い送信盤２７が最上位に位置しているから、送信盤２７による熱が他の受信盤２８等に悪影響を与えることが少ない。
【００４０】
さらに、分波器部ユニット３３は独立的に構成されて第１シェルフ１２に着脱自在であるから、使用周波数の変更等に伴う立体回路部３２やバンドパスフィルタ３１の交換の際に一括的に交換できその作業が極めて簡易である。
【００４１】
また、シェルフ１２、１３、１４、１５を構成する棚板１７、１８、１９、２０に、矩形状の貫通穴２１を形成するともに、貫通穴２１の縁部近傍を略垂直に折り曲げて折曲部２２を構成したから、従来のような別部品としての補強部材を用いることなくその補強が図られ、構成部品点数が少なくなり、作業工数が少ない。
【００４２】
さらに、分波器部ユニット３３の立体回路部３２の前面側に位置するように、垂直板３０ｂと略平行で且つ矩形状の貫通穴２４ａを有するバックボード取付板２４を、シェルフを構成する棚板１７、２０と一体的に形成し、バックボード２６をこのバックボード取付板２４に対して、貫通穴２４ａを閉塞するように取り付けたから、従来のような別部品としての補強部材を用いることなくその補強が図られ、構成部品点数が少なくなり、作業工数が低減されるとともに、バックボード２６のコネクタ２５と棚板１７、１８、１９、２０のガイドレール２３との位置合わせが容易となり、これによっても製造時の作業工数を削減することができる。
【００４３】
【発明の効果】
本発明は以上説明したように構成したから、装置の高密度実装化を図るとともに、部品点数の削減、作業工数の削減が図られ、無線装置を小型且つ安価に構成できるようになるという効果を奏する。
【図面の簡単な説明】
【図１】本発明実施例の要部構成を示す分解斜視図である。
【図２】本発明実施例の全体構成を示す正面図である。
【図３】本発明実施例の全体構成を示す断面図である。
【図４】本発明実施例の棚板の構成を示す平面図である。
【図５】本発明実施例の棚板の構成を示す断面図である。
【図６】本発明実施例のバックボード近傍の正面図である。
【図７】本発明実施例のバックボード近傍の断面図である。
【図８】本発明実施例における分波器部ユニットを実装し、棚板の一部を取り外した状態のシェルフの構成を示す正面図である。
【図９】本発明実施例における送信盤及び受信盤を実装していない状態のシェルフの構成を示す正面図である。
【図１０】本発明実施例における送信盤及び受信盤を実装していない状態のシェルフの構成を示す平面図である。
【図１１】本発明実施例における送信盤及び受信盤を実装した状態の構成を示す正面図である。
【図１２】従来技術の全体構成を示す分解斜視図である。
【図１３】従来技術の全体構成を示す正面図である。
【図１４】従来技術の全体構成を示す断面図である。
【図１５】従来技術の棚板の構成を示す断面図である。
【図１６】従来技術のバックボード近傍の構成を示す断面図である。
【図１７】従来技術の機能を増設した場合の全体構成を示す正面図である。
【符号の説明】
１１  架
１２  第１シェルフ
１６  側板
１７、１８、１９、２０  棚板
２１  貫通穴
２２  補強部
２３  ガイドレール
２４  バックボード取付部
２４ａ  貫通穴
２５  コネクタ
２６  バックボード
２７  送信盤
２８  受信盤
２９  コネクタ
３０  Ｌ型支持板
３０ａ  水平板
３０ｂ  垂直板
３１  バンドパスフィルタ
３２  マイクロ波立体回路部
３３  分波器部ユニット
【図１】
0003768264.tif 000002
【図２】
0003768264.tif 000003
【図３】
0003768264.tif 000004
【図４】
0003768264.tif 000005
【図５】
0003768264.tif 000006
【図６】
0003768264.tif 000007
【図７】
0003768264.tif 000008
【図８】
0003768264.tif 000009
【図９】
0003768264.tif 000010
【図１０】
0003768264.tif 000011
【図１１】
0003768264.tif 000012
【図１２】
0003768264.tif 000013
【図１３】
0003768264.tif 000014
【図１４】
0003768264.tif 000015
【図１５】
0003768264.tif 000016
【図１６】
0003768264.tif 000017
【図１７】
0003768264.tif 000018